(57)【特許請求の範囲】
【請求項１】
音階順に配列された複数の鍵と、この複数の鍵における各後部のみに配置されて前記複数の鍵の各後部を支持する楽器ケースとを備えた鍵盤楽器であって、
前記鍵は、鍵本体と、この鍵本体の後端部に設けられて前記鍵本体の押鍵操作に応じて上下方向に弾性変形する可撓部と、この可撓部の後端部が連結されて前記複数の鍵の配列方向に沿って連続する連結部とを有しており、
前記楽器ケースは、前記連結部を固定する鍵支持部と、前記鍵本体が押鍵操作された際に前記鍵本体と前記可撓部との境界部が接離可能に当接して前記鍵本体の下限位置を規制するストッパ部とを有しており、
前記複数の鍵における前記各鍵本体のすべては、音階順に配列された状態で、前記楽器ケースから外部に突出して空中に浮いていることを特徴とする鍵盤楽器。
【請求項２】
前記複数の鍵の押鍵操作時における前記可撓部の弾性変形量を検出する検出部を備えていることを特徴とする請求項１に記載の鍵盤楽器。
【請求項３】
鍵本体、この鍵本体の後端部に設けられて前記鍵本体の押鍵操作に応じて上下方向に弾性変形する可撓部、およびこの可撓部の後端部が連結された連結部がすべて一体に形成された複数の鍵と、
この複数の鍵を音階順に配列させた状態で前記連結部を固定する鍵支持部、および前記鍵本体が押鍵操作された際に前記鍵本体の下限位置を規制するストッパ部を有する楽器ケースと、
この楽器ケース内における前記可撓部の上方に配置されて前記鍵の押鍵操作時における前記可撓部の弾性変形量を検出する検出部と
を備えていることを特徴とする鍵盤楽器。
【請求項４】
前記楽器ケースは、音階順に配列された前記複数の鍵における前記可撓部および前記連結部に対応する箇所のみに配置されており、前記鍵の前記鍵本体は、前記楽器ケースから外部に突出して空中に浮いていることを特徴とする請求項３に記載の鍵盤楽器。
【請求項５】
前記ストッパ部は、前記鍵本体が押鍵操作された際に前記鍵本体と前記可撓部との境界部が接離可能に当接して前記鍵本体の下限位置を規制することを特徴とする請求項３または請求項４に記載の鍵盤楽器。
【請求項６】
前記検出部は、発光素子と受光素子とを備え、前記発光素子で発光した光を前記可撓部に照射させ、この照射された光の反射光を前記受光素子で受光することにより、前記受光素子による受光量に応じて前記可撓部の弾性変形量を検出することを特徴とする請求項２〜請求項５のいずれかに記載の鍵盤楽器。
【請求項７】
前記可撓部には、前記発光素子によって照射された光の反射光を前記受光素子が受光する際に、前記可撓部の弾性変形に応じて前記受光素子による受光量を変化させるための反射部が設けられていることを特徴とする請求項６に記載の鍵盤楽器。
【請求項８】
前記楽器ケースには、前記検出部を搭載する回路基板が、前記可撓部の上方に位置した状態で、取り付けられていることを特徴とする請求項２〜請求項７のいずれかに記載の鍵盤楽器。
【請求項９】
前記楽器ケースには、前記可撓部および前記連結部の上側を覆うカバーケースが配置されていることを特徴とする請求項１〜請求項８のいずれかに記載の鍵盤楽器。
【請求項１０】
前記カバーケースには、スピーカ部、スイッチ部および表示部が設けられていることを特徴とする請求項９に記載の鍵盤楽器。
【請求項１１】
音階順に配列された前記複数の鍵における前記各鍵本体の下側に配置されて前記各鍵本体の下部側を覆う補助ケースを備えていることを特徴とする請求項１〜請求項１０のいずれかに記載の鍵盤楽器。
【発明の詳細な説明】
【技術分野】
【０００１】
この発明は、電子ピアノや電子オルガンなどの鍵盤楽器に関する。
【背景技術】
【０００２】
従来、電子ピアノなどの鍵盤楽器においては、特許文献１に記載されているように、音階順に配列された複数の鍵と、この複数の鍵における各後部の下側から各鍵の前部側に向けて配置されて前記複数の鍵の各後部を前記各鍵がそれぞれ上下方向に変位可能に支持する鍵盤フレームとを備え、この鍵盤フレームに複数の鍵を音階順に配列させて支持した状態で、楽器ケース内に組み込むように構成されたものが知られている。
【先行技術文献】
【特許文献】
【０００３】
【特許文献１】特開２００８−７６７２０号公報
【０００４】
このような鍵盤楽器では、鍵が、鍵本体と、この鍵本体の後端部に設けられて押鍵操作に応じて上下方向に弾性変形する可撓部と、可撓部の後端部が連結される連結部とを有した構成になっている。また、鍵盤フレームは、複数の鍵の連結部が取り付けられる鍵支持部と、鍵本体が押鍵操作された際に鍵本体が当接して鍵本体の下限位置を規制するストッパ部とを有した構成になっている。
【発明の概要】
【発明が解決しようとする課題】
【０００５】
このような従来の鍵盤楽器では、鍵本体が押鍵操作された際に鍵本体の下限位置を規制するために、鍵盤フレームを鍵本体の後部から鍵本体の前部側に向けて延ばし、この前部側に延びた部分に鍵本体が接離可能に当接するストッパ部を設けた構成であるから、鍵盤フレームが大きくなるばかりか、この鍵盤フレームに複数の鍵を音階順に配列させて配置しただけでは、鍵盤楽器としての外観が損なわれ、デザイン的に好ましくないため、鍵盤フレームと共に鍵のすべてを楽器ケース内に収納する必要があり、このため楽器全体が大型化するという問題がある。
【０００６】
この発明が解決しようとする課題は、鍵のすべてを楽器ケース内に収納する必要がなく、楽器全体の小型化を図ることができる鍵盤楽器を提供することである。
【課題を解決するための手段】
【０００７】
この発明は、上記課題を解決するために、次のような構成要素を備えている。
請求項１に記載の発明は、音階順に配列された複数の鍵と、この複数の鍵における各後部のみに配置されて前記複数の鍵の各後部を支持する楽器ケースとを備えた鍵盤楽器であって、前記鍵は、鍵本体と、この鍵本体の後端部に設けられて前記鍵本体の押鍵操作に応じて上下方向に弾性変形する可撓部と、この可撓部の後端部が連結されて前記複数の鍵の配列方向に沿って連続する連結部とを有しており、前記楽器ケースは、前記複数の鍵の前記連結部を固定する鍵支持部と、前記鍵本体が押鍵操作された際に前記鍵本体と前記可撓部との境界部が接離可能に当接して前記鍵本体の下限位置を規制するストッパ部とを有しており、前記複数の鍵における前記各鍵本体のすべては、音階順に配列された状態で、前記楽器ケースから外部に突出して空中に浮いていることを特徴とする鍵盤楽器である。
【０００８】
請求項２に記載の発明は、前記複数の鍵の押鍵操作時における前記可撓部の弾性変形量を検出する検出部を備えていることを特徴とする請求項１に記載の鍵盤楽器である。
【０００９】
請求項３に記載の発明は、鍵本体、この鍵本体の後端部に設けられて前記鍵本体の押鍵操作に応じて上下方向に弾性変形する可撓部、およびこの可撓部の後端部が連結された連結部がすべて一体に形成された複数の鍵と、この複数の鍵を音階順に配列させた状態で前記連結部を固定する鍵支持部、および前記鍵本体が押鍵操作された際に前記鍵本体の下限位置を規制するストッパ部を有する楽器ケースと、この楽器ケース内における前記可撓部の上方に配置されて前記鍵の押鍵操作時における前記可撓部の弾性変形量を検出する検出部とを備えていることを特徴とする鍵盤楽器である。
【００１０】
請求項４に記載の発明は、前記楽器ケースが、音階順に配列された前記複数の鍵における前記可撓部および前記連結部に対応する箇所のみに配置されており、前記鍵の前記鍵本体は、前記楽器ケースから外部に突出して空中に浮いていることを特徴とする請求項３に記載の鍵盤楽器である。
【００１１】
請求項５に記載の発明は、前記ストッパ部が、前記鍵本体を押鍵操作した際に前記鍵本体と前記可撓部との境界部が接離可能に当接して前記鍵本体の下限位置を規制することを特徴とする請求項３または請求項４に記載の鍵盤楽器である。
【００１２】
請求項６に記載の発明は、前記検出部が、発光素子と受光素子とを備え、前記発光素子で発光した光を前記可撓部に照射させ、この照射された光の反射光を前記受光素子で受光することにより、前記受光素子による受光量に応じて前記可撓部の弾性変形量を検出することを特徴とする請求項２〜請求項５のいずれかに記載の鍵盤楽器である。
【００１３】
請求項７に記載の発明は、前記可撓部に、前記発光素子によって照射された光の反射光を前記受光素子が受光する際に、前記可撓部の弾性変形に応じて前記受光素子による受光量を変化させるための反射部が設けられていることを特徴とする請求項６に記載の鍵盤楽器である。
【００１４】
請求項８に記載の発明は、前記楽器ケースに、前記検出部を搭載する回路基板が、前記可撓部の上方に位置した状態で、取り付けられていることを特徴とする請求項２〜請求項７のいずれかに記載の鍵盤楽器である。
【００１５】
請求項９に記載の発明は、前記楽器ケースに、前記可撓部および前記連結部の上側を覆うカバーケースが配置されていることを特徴とする請求項１〜請求項８のいずれかに記載の鍵盤楽器である。
【００１６】
請求項１０に記載の発明は、前記カバーケースに、スピーカ部、スイッチ部および表示部が設けられていることを特徴とする請求項９に記載の鍵盤楽器である。
【００１７】
請求項１１に記載の発明は、音階順に配列された前記複数の鍵における前記各鍵本体の下側に配置されて前記各鍵本体の下部側を覆う補助ケースを備えていることを特徴とする請求項１〜請求項１０のいずれかに記載の鍵盤楽器である。
【発明の効果】
【００１８】
この発明によれば、複数の鍵の連結部を楽器ケースの鍵支持部上に固定することにより、複数の鍵における各鍵本体のすべてを、音階順に配列させた状態で、楽器ケースから外部に突出させて空中に浮かせることができる。このため、複数の鍵のすべてを楽器ケース内に収納する必要がないので、楽器ケースをコンパクトに構成することができ、これにより楽器全体の小型化を図ることができる。
【００１９】
また、この発明によれば、複数の鍵の連結部を楽器ケースの鍵支持部上に固定すると共に、複数の鍵における各可撓部の弾性変形を検出する検出部を各可撓部の上方に配置した構成であるから、楽器ケースをコンパクトに構成することができる。このため、複数の鍵における各鍵本体のすべてを、音階順に配列させた状態で、楽器ケースから外部に突出させて空中に浮かせることができ、これにより複数の鍵のすべてを楽器ケース内に収納する必要がないので、楽器全体の小型化を図ることができる。
【図面の簡単な説明】
【００２０】
【図１】この発明を適用した電子鍵盤楽器の実施形態１を示した外観斜視図である。
【図２】図１のＡ−Ａ矢視における拡大断面図である。
【図３】図１における複数の鍵を示した要部の拡大平面図である。
【図４】図３における複数の鍵の配列状態を示し、（ａ）はその白鍵を示した要部の拡大平面図、（ｂ）はその黒鍵を示した要部の拡大平面図である。
【図５】図２の要部を示した拡大断面図である。
【図６】図５の可撓部のＢ−Ｂ矢視における拡大断面図である。
【図７】図５の鍵支持部のＣ−Ｃ矢視における拡大断面図である。
【図８】この発明を適用した電子鍵盤楽器の実施形態２を示した外観斜視図である。
【図９】図８のＤ−Ｄ矢視における拡大断面図である。
【図１０】図９の要部を示した拡大断面図である。
【図１１】実施形態１、２における検出部で検出される可撓部の第１変形例を示した要部の拡大断面図である。
【図１２】実施形態１、２における検出部で検出される可撓部の第２変形例を示した要部の拡大断面図である。
【発明を実施するための形態】
【００２１】
（実施形態１）
以下、図１〜図７を参照して、この発明を適用した電子鍵盤楽器の実施形態１について説明する。
この電子鍵盤楽器は、図１および図２に示すように、音階順に配列された複数の鍵１と、この複数の鍵１における各後部（図２では右側部）の下側のみに配置されて複数の鍵１の各後部を支持する楽器ケース２とを備えている。
【００２２】
複数の鍵１は、図１および図２に示すように、複数の白鍵３と複数の黒鍵４とを有し、これら白鍵３および黒鍵４が音階順に配列されている。この場合、白鍵３は、図２〜図４に示すように、鍵本体５と、この鍵本体５の後端部（図２では右端部）に設けられて鍵本体５の押鍵操作に応じて上下方向に弾性変形する可撓部６と、この可撓部６の後端部（図２では右端部）が連結されて複数の白鍵３の配列方向に沿って連続する連結部７とを有し、これらが合成樹脂によって一体に形成されている。
【００２３】
この場合、鍵本体５は、図２に示すように、下面側が開放されて前後方向に長いほぼ角筒状に形成されている。可撓部６は、図２および図５に示すように、肉厚の薄いほぼ帯板状の薄肉部に形成され、鍵本体５が上方から押鍵された際に、下側に向けて撓み変形するように構成されている。また、この可撓部６は、図６に示すように、その下面における両側部に一対のリブ部６ａが一体に形成されている。
【００２４】
この一対のリブ部６ａは、鍵本体５が押鍵されて撓み変形した可撓部６の弾性復帰力を確保すると共に、鍵本体５の押鍵操作時における可撓部６のねじれを防ぐためものであり、可撓部６の下面に鍵本体５の前後方向（図５では左右方向）に沿って細長く形成されている。また、連結部７は、図３および図４（ａ）に示すように、可撓部６を介して鍵本体５を保持するためのものであり、複数の白鍵３の配列方向に沿って連続して形成され、複数の鍵本体５の各可撓部６がそれぞれ一体に連結形成されている。
【００２５】
また、黒鍵４は、白鍵３と同様、鍵本体８と、この鍵本体８の後端部（図２では右端部）に設けられて鍵本体８の押鍵操作に応じて上下方向に弾性変形する可撓部９と、この可撓部９の後端部（図２では右端部）が連結されて複数の黒鍵４の配列方向に沿って連続する連結部１０とを有し、これらが合成樹脂によって一体に形成されている。
【００２６】
この場合、鍵本体８は、図２に示すように、白鍵３の鍵本体５の半分程度の長さで、且つ白鍵３の鍵本体５よりも高さの高いほぼ角筒状に形成されている。可撓部９は、白鍵３の可撓部６とほぼ同様、肉厚の薄いほぼ帯板状の薄肉部に形成され、鍵本体８が上方から押鍵された際に、下側に向けて撓み変形するように構成されている。
【００２７】
この可撓部９は、図２に示すように、白鍵３の可撓部６よりも下側に位置した状態で、鍵本体８の後端下部に設けられている。また、この可撓部９は、図６に示すように、その下面における両側部に一対のリブ部９ａが一体に形成されている。この一対のリブ部９ａも、鍵本体８が押鍵されて撓み変形した可撓部９の弾性復帰力を確保すると共に、鍵本体８の押鍵操作時における可撓部９のねじれを防ぐためものであり、可撓部９の下面に鍵本体８の前後方向（図５では左右方向）に沿って細長く形成されている。
【００２８】
この黒鍵４の連結部１０は、白鍵３の連結部７と同様、可撓部９を介して鍵本体８を保持するためのものであり、図４（ｂ）に示すように、複数の黒鍵４の配列方向に沿って連続して形成され、複数の鍵本体８の各可撓部９がそれぞれ一体に連結形成されている。この連結部１０は、図２に示すように、その上部に白鍵３の連結部７が位置決めされた状態で重なって配置されるように構成されている。
【００２９】
これにより、複数の鍵１は、図３および図４に示すように、複数の白鍵３の各鍵本体５の間に複数の黒鍵４の鍵本体８が配置された状態で、白鍵３の連結部７が黒鍵４の連結部１０上に位置決めされた状態で重なって配置されることにより、複数の白鍵３および複数の黒鍵４が音階順に並列的に配列されるように構成されている。
【００３０】
一方、楽器ケース２は、図１および図２に示すように、その全体が上方に開放されて複数の鍵１の配列方向に沿って細長いほぼ箱形状に形成されている。この楽器ケース２は、図２および図５に示すように、複数の鍵１の各連結部７、１０が互いに重なり合った状態で、各連結部７、１０が取り付けられる鍵支持部１１と、各鍵１が押鍵操作された際に各鍵本体５、８と各可撓部６、９との境界部３ａ、４ａが接離可能に当接して鍵本体５、８の下限位置を規制するストッパ部１２とを備えている。
【００３１】
この場合、楽器ケース２は、複数の鍵１の総重量によって鍵１が前下がり（図２では左下り）に傾かないように、楽器ケース２全体の重量が重く形成されている。すなわち、この楽器ケース２は、アルミニウムや鉄などの金属製の鋳物、または金属などの錘を備えた合成樹脂によって形成されている。鍵支持部１１は、図２および図５に示すように、楽器ケース２の底部に上方に突出した状態で、複数の鍵１の配列方向に沿って連続して形成されている。
【００３２】
この鍵支持部１１には、図５に示すように、複数のビス１３がそれぞれ上方から螺入する複数のねじ穴１１ａが所定間隔で設けられている。この場合、白鍵３の連結部７と黒鍵４の連結部１０には、複数のビス１３がそれぞれ上方から挿入する複数のビス挿入孔１３ａが複数のねじ穴１１ａにそれぞれ対応して設けられている。
【００３３】
これにより、鍵支持部１１は、図５および図７に示すように、白鍵３の連結部７と黒鍵４の連結部１０とが重ね合わされて鍵支持部１１の上面に配置され、この状態で各連結部７、１０のビス挿入孔１３ａに上方から複数のビス１３が挿入され、この挿入されたビス１３が鍵支持部１１の各ねじ穴１１ａに螺入して締め付けられることにより、複数の鍵１を音階順に配列した状態で支持するように構成されている。
【００３４】
ストッパ部１２は、図２および図５に示すように、楽器ケース２の前端部（図２では左端部）に起立して形成され、各鍵本体５、８と各可撓部６、９との境界部３ａ、４ａの下側に対応して、各鍵本体５、８と各可撓部６、９との境界部３ａ、４ａが接離可能に当接するように構成されている。この場合、ストッパ部１２は、図５に示すように、各鍵本体５、８が押鍵操作されて各可撓部６、９が下側に向けて最も大きく撓み変形した際に、各鍵本体５、８の各先端下部が卓上などの載置面Ｔに接触しないように、ストッパ部１２の高さが設定されている。
【００３５】
また、この楽器ケース１内には、図２および図５に示すように、回路基板１４が組み込まれている。すなわち、この回路基板１４は、楽器全体を電気的に制御するための電子回路が搭載されたものであり、複数の鍵１の配列方向に沿って連続する細長い帯状に形成されている。この回路基板１４は、図５および図７に示すように、複数の鍵１における互いに重ね合わされた各連結部７、１０上にスペーサ部材１５を介して複数のビス１６によって取り付けられている。
【００３６】
この場合、複数の鍵１の各連結部７、１０を支持する鍵支持部１１には、図７に示すように、複数のビス１６がそれぞれ上方から螺入する複数のねじ穴１１ｂが、複数のビス１３がそれぞれ上方から螺入する複数のねじ穴１１ａと異なる位置に設けられている。また、複数の鍵１の各連結部７、１０およびスペーサ部材１５には、それぞれ鍵支持部１１の各ねじ穴１１ｂに対するビス挿入孔１６ａが設けられている。
【００３７】
これにより、回路基板１４は、図２、図５および図７に示すように、鍵支持部１１上に各連結部７、１０が互いに重なり合った状態で配置され、この各連結部７、１０上にスペーサ部材１５が配置され、このスペーサ部材１５上に配置された状態で、回路基板１４の上方からビス１６がスペーサ部材１５および各連結部７、１０の各ビス挿入孔１６ａを通して鍵支持部１１のねじ穴１１ｂに螺入して締め付けられることにより、楽器ケース２内に取り付けられる。
【００３８】
この回路基板１４の下面には、図２および図５に示すように、複数の鍵１の押鍵操作時における各可撓部６、９の各弾性変形量を検出する複数の検出部１７が各鍵１に対応してそれぞれ設けられている。この検出部１７は、発光素子１７ａと受光素子１７ｂとを備え、発光素子１７ａで発光した光を各可撓部６、９に照射させ、この照射された光の反射光を受光素子１７ｂで受光することにより、その受光素子１７ｂによる受光量に応じて各可撓部６、９の弾性変形量（撓み変形量）を検出するように構成されている。
【００３９】
さらに、この楽器ケース２上には、図２に示すように、カバーケース１８が取り付けられている。このカバーケース１８の内部下面には、ボス部１８ａが楽器ケース２内に向けて突出して設けられている。このボス部１８ａは、楽器ケース２内にその底部から下側に開放されて設けられたボス部２ａに対応するように形成されている。
【００４０】
これにより、このカバーケース１８は、図２に示すように、楽器ケース２の下側からビス１９を楽器ケース２に設けられたボス部２ａの孔２ｂに挿入させ、この挿入したビス１９をカバーケース１８のボス部１８ａに設けられたねじ穴１８ｂに螺入させて締め付けることにより、楽器ケース２上に取り付けられるように構成されている。
【００４１】
また、このカバーケース１８は、図２および図５に示すように、複数の鍵１の各可撓部６、９、および各連結部７、１０の上方に位置する回路基板１４を、複数の鍵１の各可撓部６、９、および各連結部７、１０と共に覆うように構成されている。このカバーケース１８には、図１に示すように、スピーカ部２０、スイッチ部２１および表示部２２が設けられている。
【００４２】
スピーカ部２０は、図１に示すように、カバーケース１８の内部における両側に設けられ、楽音を発音するように構成されている。スイッチ部２０は、音量調整や音色選択などの各種のスイッチを備え、カバーケース１８の上面における表示部２２を除く箇所に分散して設けられている。表示部２２は、カバーケース１８の上面におけるほぼ中央部に設けられ、楽音情報を電気光学的に表示するように構成されている。
【００４３】
次に、この電子鍵盤楽器の作用について説明する。
複数の鍵１のうち、白鍵３のいずれかの鍵本体５を押鍵操作すると、この押鍵された白鍵３の可撓部６が下側に向けて撓み、鍵本体５が下側に変位する。このときには、可撓部６の下面両側に設けられた一対のリブ部６ａによって、可撓部６および鍵本体５がねじれることなく、良好に下側に変位する。そして、押鍵された白鍵３の鍵本体５と可撓部６との境界部３ａが楽器ケース２のストッパ部１２に当接すると、可撓部６が撓み変形が規制されて、鍵本体５の下側への変位が停止される。
【００４４】
このときに、楽器ケース２内に設けられた回路基板１４の検出部１７が可撓部６の撓み変形量を検出する。すなわち、検出部１７の発光素子１７ａが光を発光し、その光が可撓部６に照射され、この照射された光が可撓部６で反射される際に、可撓部６の撓み変形に応じて光の反射方向が変化することにより、その光の反射方向が変化した反射光が可撓部６の撓み変形に応じて受光素子１７ｂに受光される。
【００４５】
これにより、受光素子１７ｂの受光量に応じて可撓部６の撓み変形量を検出し、この検出結果に基づいてスピーカ部２０から楽音を放音する。この後は、可撓部６が弾性復帰して元の位置に戻るので、鍵本体５が上方に変位して初期位置に戻る。このときには、可撓部６の下面両側に設けられた一対のリブ部６ａによって、可撓部６の弾性復帰力が増大されるので、可撓部６および鍵本体５がねじれることなく、速やかに初期位置に戻る。
【００４６】
なお、複数の鍵１のうち、黒鍵４のいずれかの鍵本体８を押鍵操作しても、白鍵３と同様、黒鍵４の可撓部９が下側に向けて撓み、鍵本体８が下側に変位し、この可撓部９の撓み変形量を検出部１７が検出し、その検出結果に応じて楽音を放音した後、白鍵３と同様、可撓部９が弾性復帰して鍵本体８が初期位置に戻る。
【００４７】
このように、この電子鍵盤楽器によれば、音階順に配列された複数の鍵１が、鍵本体５、８と、この鍵本体５、８の後端部に設けられて押鍵操作に応じて上下方向に撓み変形する可撓部６、９と、この可撓部６、９の後端部が連結されて鍵１の配列方向に沿って連続する連結部７、１０とを有し、この複数の鍵１における各後部のみに対応して配置された楽器ケース２が、各鍵１の連結部７、１０を固定する鍵支持部１１を有する構成であるから、複数の鍵１における各鍵本体５、８のすべてを、音階順に配列させた状態で、楽器ケース２から外部に突出させて空中に浮かせることができ、これにより楽器全体の小型化を図ることができる。
【００４８】
すなわち、この電子鍵盤楽器では、複数の鍵１の各連結部７、１０を楽器ケース２の鍵支持部１１上に固定することにより、複数の鍵１における各鍵本体５、８のすべてを、音階順に配列させた状態で、楽器ケース２から外部に突出させて空中に浮かせることができる。このため、複数の鍵１のすべてを楽器ケース２内に収納する必要がないので、楽器ケース２をコンパクトに構成することができ、これにより楽器全体の小型化を図ることができると共に、複数の鍵１のすべてを楽器ケース２内に収納しなくても、楽器としての外観が損なわれることがないので、デザイン的にも好ましものを提供することができる。
【００４９】
この場合、複数の鍵１の各鍵本体５、８が押鍵操作された際に、その押鍵された鍵本体５、８の下限位置を規制するためのストッパ部１２は、楽器ケース２における鍵本体５、８と可撓部６、９との境界部３ａ、４ａに対応する箇所、つまり楽器ケース２の前端部に設けられているので、楽器ケース２を複数の鍵１の各後部である可撓部６、９および連結部７、１０に対応する箇所のみに配置することができ、これにより楽器ケース２をコンパクトに構成に構成することができる。
【００５０】
このように楽器ケース２をコンパクトに構成しても、複数の鍵１の各鍵本体５、８が押鍵操作された際に、その押鍵された鍵本体５、８の可撓部６、９が撓み変形して、押鍵された鍵本体５、８と可撓部６、９との境界部３ａ、４ａが楽器ケース２に設けられたストッパ部１２に当接することにより、鍵本体５、８の下限位置を確実に規制することができるので、押鍵操作における各鍵１の動作を一定に保つことができるので、通常の電子鍵盤楽器と同様、良好に押鍵操作ができる。
【００５１】
また、この電子鍵盤楽器によれば、複数の鍵１の各連結部７、１０を楽器ケース２の鍵支持部１１上に固定すると共に、複数の鍵１における各可撓部６、９の弾性変形を検出する各検出部１７を各可撓部６、９の上方に配置した構成であることにより、複数の検出部１７を各鍵１の可撓部６、９の近傍に配置することができ、これにより楽器ケース２をコンパクトに構成することができるので、楽器全体の小型化を図ることができる。
【００５２】
すなわち、この電子鍵盤楽器では、検出部１７を各可撓部６、９の上方に配置することにより、複数の鍵１の各連結部７、１０を固定するための楽器ケース２の鍵支持部１１が邪魔になることがなく、検出部１７を楽器ケース２内に良好に配置することができるので、楽器ケース２を複数の鍵１の各後部である可撓部６、９および連結部７、１０に対応する箇所のみに配置することができ、これにより楽器ケース２をコンパクトに構成することができる。
【００５３】
この場合、検出部１７は、発光素子１７ａと受光素子１７ｂとを備え、発光素子１７ａで発光した光を可撓部６、９に照射させ、この照射された光の反射光を受光素子１７ｂで受光することにより、受光素子１７ｂによる受光量に応じて可撓部６、９の撓み変形量を検出することができるので、非接触状態で可撓部６、９の撓み変形量を正確に且つ確実に検出することができ、これにより可撓部６、９の撓み変形量に応じて楽音を良好に放音させることができる。
【００５４】
また、楽器ケース２内には、複数の鍵１の配列方向に沿って細長く形成されて複数の検出部１７を搭載する回路基板１４が、各可撓部６、９の上方に位置した状態で配置されているので、これによっても楽器全体をコンパクトに構成することができる。すなわち、回路基板１４は、鍵支持部１１上に重なって配置された各連結部７、１０上にスペーサ部材１５を配置し、このスペーサ部材１５および各連結部７、１０を介してビス１６によって鍵支持部１１上に取り付けられることにより、回路基板１４を各可撓部６、９の上方に接近させることができると共に、楽器ケース２内に回路基板１４を確実に且つコンパクトに取り付けることができる。
【００５５】
この回路基板１４の下面には、図５に示すように、複数の鍵１の押鍵操作時における各可撓部６、９の弾性変形量を検出する複数の検出部１７がそれぞれ設けられているので、複数の検出部１７を楽器ケース２内にコンパクトに組み込むことができると共に、この複数の検出部１７を複数の鍵１の各可撓部６、９にそれぞれ接近させて配置することができるので、複数の検出部１７によって各可撓部６、９の撓み変形量をそれぞれ正確に且つ確実に検出することができる。
【００５６】
また、この電子鍵盤楽器では、楽器ケース２に、複数の鍵１の各可撓部６、９、および各連結部７、１０の上側に配置された回路基板１４の上側を覆うカバーケース１８を取り付けた構成であるから、このカバーケース１８によって複数の鍵１の各可撓部６、９、各連結部７、１０、およびこれらの上側に配置される回路基板１４を、良好に保護することができると共に、これらが外部に露出することがないので、外観的にもデザイン的にも好ましいものを得ることができる。
【００５７】
この場合、カバーケース１８には、スピーカ部２０、スイッチ部２１および表示部２２が設けられているので、楽器全体をコンパクトに構成しても、通常の電子鍵盤楽器と同様の機能を確保することができる。すなわち、スピーカ部２０は、カバーケース１８の内部における両側に設けられ、楽音を発音することができる。スイッチ部２０は、カバーケース１８の上面における表示部２２を除く箇所に分散して設けられ、音量調整や音色選択などを容易に且つ良好に選択することができる。表示部２２は、カバーケース１８の上面におけるほぼ中央部に設けられ、楽音情報を電気光学的に良好に表示することができる。
【００５８】
（実施形態２）
次に、図８〜図１０を参照して、この発明を適用した電子鍵盤楽器の実施形態２について説明する。なお、図１〜図７に示された実施形態１と同一部分には同一符号を付して説明する。
この電子鍵盤楽器は、楽器ケース２に対する回路基板１４の取付構造が実施形態１と異なるほか、複数の鍵１の各鍵本体５、８の下側に補助ケース３０を配置した構成であり、これ以外は実施形態１とほぼ同じ構成になっている。
【００５９】
すなわち、楽器ケース２には、図９および図１０に示すように、カバーケース１８の内部下面に設けられたボス部１８ａに対応するボス部２ａのほかに、回路基板１４が取り付けられるボス部３１が設けられている。回路基板１４には、ビス挿入孔１４ａが楽器ケース２のボス部３１に対応して設けられている。
【００６０】
これにより、回路基板１４は、図９および図１０に示すように、楽器ケース２のボス部３１上に配置され、この状態でビス３２が上方から回路基板１４のビス挿入孔１４ａを通してボス部３１のねじ孔３１ａに螺入して締め付けられることにより、楽器ケース２内に取り付けられている。この場合、回路基板１４は、カバーケース１８のボス部１８ａと楽器ケース２のボス部２ａとがビス１９によって取り付けられる際に、これらの間に挟まれて取り付けられるように構成されている。また、この回路基板１４は、複数の鍵１の互いに重なり合う各連結部７，１０上にスペーサ部材１５を介して配置されている。
【００６１】
一方、補助ケース３０は、図８および図９に示すように、複数の鍵１の各鍵本体５、８の上面側を除いて、各鍵本体５、８を覆うものであり、楽器ケース２の下面に配置されて各鍵本体５、８の前端部（図９では左端部）に延びる底板部３０ａと、この底板部３０ａの前端部から各鍵本体５、８の各前端面における中間部に向けて起立して設けられた前板部３０ｂと、底板部３０ａの両側部に前板部３０ｂよりも少し高く起立して設けられた側板部３０ｃとを備えている。
【００６２】
これにより、補助ケース３０は、図８および図９に示すように、複数の鍵１の各鍵本体５、８の上面側を除いて、各鍵本体５、８の下側、前端部側、両側部を覆うことにより、複数の鍵１の各鍵本体５、８が下側から上方に向けて押されたり、各鍵本体５、８が鍵１の配列方向に押されたり、また各鍵本体５、８の前端部（図９では左端部）が後側（図９では右端部）に向けて押されたりしないように構成されている。
【００６３】
このような電子鍵盤楽器によれば、実施形態１と同様の作用効果があるほか、回路基板１４が楽器ケース２のボス部３１上にビス３２によって取り付けられているので、複数の鍵１の各連結部７、１０とは別に楽器ケース２に取り付けることができ、これにより複数の鍵１の配列状態を調整し易くすることができると共に、回路基板１４を楽器ケース２に確実に且つ強固に取り付けることができる。この場合、回路基板１４は、カバーケース１８のボス部１８ａと楽器ケース２のボス部２ａとがビス１９によって取り付けられる際に、これらの間に挟まれて取り付けられているので、より一層、楽器ケース２に強固に取り付けることができる。
【００６４】
また、この鍵盤楽器では、複数の鍵１における各鍵本体５、８の下側に配置されて各鍵本体５、８の下側を覆う補助ケース３０を備えているので、この補助ケース３０によって複数の鍵１の各鍵本体５、８が下側から上方に向けて押されるのを防ぐことができ、これにより各鍵本体５、８の下側からの外力によって複数の鍵１の各可撓部６、９が破損するのを防ぐことができる。
【００６５】
この場合、補助ケース３０は、楽器ケース２の下面に配置されて各鍵本体５、８の前端部（図９では左端部）に延びる底板部３０ａと、この底板部３０ａの前端部から各鍵本体５、８の各前端面における中間部に向けて起立して設けられた前板部３０ｂと、底板部３０ａの両側部に前板部３０ｂと同じ高さで起立して設けられた側板部３０ｃとを備えているので、複数の鍵１の各鍵本体５、８の上面側を除いて、各鍵本体５、８の下側、前端部側、両側部を覆うことができる。
【００６６】
このため、補助ケース３０によって複数の鍵１の各鍵本体５、８が下側から上方に向けて押されるのを防ぐことができる以外に、各鍵本体５、８が鍵１の配列方向から押されたり、また各鍵本体５、８がその前端部から後側に向けて押されたりするのを防ぐことができ、これにより複数の鍵１の押鍵操作以外に各可撓部６、９に負荷が加わるのを防ぐことができるので、複数の鍵１の押鍵操作以外の外力によって各可撓部６、９が破損するのを確実に防ぐことができる。
【００６７】
なお、上述した実施形態１、２では、押鍵操作によって複数の鍵１における各可撓部６、９が撓み変形した際に、その各可撓部６、９の撓み変形量を直接、検出部１７によって検出するように構成した場合について述べたが、これに限らず、例えば図１１（ａ）および図１１（ｂ）に示された第１変形例のように、各可撓部６、９にそれぞれ反射突起部３５を設けても良い。
【００６８】
すなわち、図１１（ａ）および図１１（ｂ）に示された第１変形例は、各可撓部６、９の上面に反射突起部３５を設けた構成になっている。この反射突起部３５は、鍵１の後側（図１１では右側）が湾曲した反射曲面３１ａに形成され、鍵１の前側（図１１では左側）がほぼ垂直な垂直面３５ｂに形成されている。この反射突起部３５は、鍵１が押鍵されて各可撓部６、９が下側に向けて撓んだ際に、回路基板１４の下面に対する反射曲面３５ａの傾斜角度が緩やかになるように構成されている。
【００６９】
これにより、反射突起部３５は、図１１（ｂ）に示すように、鍵１が押鍵されて各可撓部６、９が下側に向けて撓み、回路基板１４の下面に対する反射曲面３５ａの傾斜角度が緩やかになった際に、検出部１７の発光素子１７ａで発光されて反射曲面３５ａに照射された光を受光素子１７ｂに向けて反射するように構成されている。
【００７０】
また、この反射突起部３５は、図１１（ａ）に示すように、鍵１が押鍵されずに各可撓部６、９がほぼ水平な状態で、回路基板１４の下面に対する反射曲面３５ａの傾斜角度が急な状態の際に、検出部１７の発光素子１７ａで発光されて反射曲面３５ａに照射された光を受光素子１７ｂから少し離れる方向に向けて反射するように構成されている。
【００７１】
このような電子鍵盤楽器によれば、複数の鍵１が押鍵されて可撓部６、９が撓み変形する際に、その撓み変形に応じて反射突起部３５の傾き角度が変化するので、押鍵操作に応じた可撓部６、９の撓み変形量を検出部１７によって実施形態１、２よりも正確に検出することができ、これにより押鍵された鍵１の押鍵力に応じた楽音を良好に発音させることができる。
【００７２】
また、この第１変形例に限らず、例えば図１２（ａ）および図１２（ｂ）に示された第２変形例のように、各可撓部６、９にそれぞれ反射部３６を設けても良い。すなわち、この第２変形例は、各可撓部６、９の上面に凹面鏡をなす反射部３６を設けた構成になっている。この反射部３６は、検出部１７の発光素子１７ａから光が照射されると、その照射された光を焦点位置Ｐに集光する凹面鏡に形成されている。
【００７３】
このため、反射部３６は、図１２（ｂ）に示すように、鍵１が押鍵されて各可撓部６、９が下側に向けて撓み、これに伴って反射部３６の焦点位置Ｐがずれた際に、その焦点位置Ｐが検出部１７の受光素子１７ｂに位置するように構成されている。また、この反射部３６は、図１２（ａ）に示すように、鍵１が押鍵されずに各可撓部６、９がほぼ水平な状態のときに、反射部３６の焦点位置Ｐが検出部１７の受光素子１７ｂから少し離れるように構成されている。
【００７４】
このような電子鍵盤楽器によれば、複数の鍵１が押鍵されて可撓部６、９が撓み変形する際に、その撓み変形に応じて反射部３６の焦点位置Ｐが変化することにより、押鍵操作に応じた各可撓部６、９の撓み変形量を検出部１７によって実施形態１、２よりも正確に検出することができ、これにより第１変形例と同様、押鍵された鍵１の押鍵力に応じた楽音を良好に発音させることができる。
【符号の説明】
【００７５】
１  鍵
２  楽器ケース
３  白鍵
４  黒鍵
５、８  鍵本体
６、９  可撓部
６ａ、９ａ  リブ部
７、１０  連結部
１１  鍵支持部
１２  ストッパ部
１３、１６、１９、３２  ビス
１４  回路基板
１７  検出部
１７ａ  発光素子
１７ｂ  受光素子
１８  カバーケース
２０  スピーカ部
２１  スイッチ部
２２  表示部
３０  補助ケース
３０ａ  底板部
３０ｂ  前板部
３０ｃ  側板部
３５  反射突起部
３６  反射部
【図１】
0005445106.tif 000002
【図２】
0005445106.tif 000003
【図３】
0005445106.tif 000004
【図４】
0005445106.tif 000005
【図５】
0005445106.tif 000006
【図６】
0005445106.tif 000007
【図７】
0005445106.tif 000008
【図８】
0005445106.tif 000009
【図９】
0005445106.tif 000010
【図１０】
0005445106.tif 000011
【図１１】
0005445106.tif 000012
【図１２】
0005445106.tif 000013